(57)【要約】      （修正有）【課題】上に積み重ねられた状態でもコサージュのデザインを見ることができる実用的なコサージュ用ケースを提供する。【解決手段】衣服などに付けられるアクセサリーであるコサージュ１の収納ケース１００に関するもので、コサージュを透明ケース１０内に斜めに設けた支持板２０に係止するようにした。透明ケース１０は透明な一枚のブランクを折り目に沿って折り曲げることにより組み立てられる。支持板２０には、平板で中央部にコサージュを係止するための２本のスリットが設けられ、上端部と下端部に水平方向に設けた折り目による折上板と折下板を形成する。折下板を透明ケースの底面に密着させて先端を底面の前端に当接させ、折上板を山折りに畳んで透明ケースの後板へ当接させる。【選択図】図１
0003199510.tif 000002
【実用新案登録請求の範囲】
【請求項１】
直方体状の透明ケース内に斜めに設けた支持板にコサージュを係止するようにしたコサージュ用ケースであって、該透明ケースは透明な一枚のブランクを折り目に沿って折り曲げることにより組み立てられ、該支持板は、平板で中央部にコサージュを係止するための２本のスリットが設けられ、上端部と下端部に水平方向に設けた折り目による折上板と折下板を形成し、該折下板を該透明ケースの底面に密着させて先端を底面の前端に当接させ、該折上板を山折りに畳んで透明ケースの後板へ当接させて収納されることを特徴とするコサージュ用ケース。
【請求項２】
前記支持板は、上方へ行くにつれて漸次幅寸法を小さくするとともに、両側縁を下方へ折り曲げたことを特徴とする請求項１記載のコサージュ用ケース。
【請求項３】
前記支持板は、上端の折上板の中央部に吊金具などに係止するための丸孔が形成されたことを特徴とする請求項１または請求項２に記載のコサージュ用ケース。
【考案の詳細な説明】
【技術分野】
【０００１】
本考案はコサージュを収納する透明なケースに関するものである。
【背景技術】
【０００２】
コサージュは、結婚式や入園式などで女性の衣服に付けられる花をモチーフとしたアクセサリーで、生化または布や紙で作られ、通常、透明な合成樹脂製のケースに収納されて展示販売されている。
コサージュには、種々のデザインのものがあるが、ほぼ同じ大きさに作られており、これを収納するケースは、同じ大きさの直方体状または円柱状のものが使用され、コサージュを底面に直接置いている。なお、浴衣を着たときに使用される髪飾り用のコサージュがあるが、これは、花にタレが付設されており、高さの高い透明ケースが使用されている。
なお、コサージュ用ケースに関する特許、実用新案は、調査したが、見当たらない。
【考案の開示】
【考案が解決しようとする課題】
【０００３】
コサージュは春先などには数多く展示販売され、陳列台に積み重ねて展示されることも少なくない。しかし、コサージュは透明ケースの底面に水平に置かれた状態で収納されているので、上面から見ないとデザインが解らず、下の段にあるものは上に置かれているものを移動させなければならない。
【０００４】
本考案は、上記の問題点を解決するため開発されたもので、上に積み重ねられた状態でもコサージュのデザインを見ることができる実用的なコサージュ用ケースを提供することを目的としている。
【課題を解決するための手段】
【０００５】
上記の目的を達成するため、本考案のコサージュ用ケースは、次のように構成した。すなわち、直方体状の透明ケース内に斜めに設けた支持板にコサージュを係止するようにしたコサージュ用ケースであって、該透明ケースは透明な一枚のブランクを折り目に沿って折り曲げることにより組み立てられ、該支持板は、平板で中央部にコサージュを係止するための２本のスリットが設けられ、上端部と下端部に水平方向に設けた折り目による折上板と折下板を形成し、該折下板を該透明ケースの底面に密着させて先端を底面の前端に当接させ、該折上板を山折りに畳んで透明ケースの後板へ当接させて収納されることを特徴としている。
【０００６】
透明ケースは、両側板、前板、後板、底板、蓋板の６面からなり、折り目、切れ目を入れた一枚のブランクを折り上げて組み立てる。できれば、接着剤や接着テープを使用せずに組み立てられるようにするのが望ましい。なお、底板の組み合わせ結合については種々の方式があり、適宜なものを用いればよい。また、大きさは、衣服用と浴衣用髪飾り用では、コサージュの大きさが異なるが、構造は同じでよい。
ここで、「透明」の意義は、厳密なものではなく、表面（上面および側面）は、コサージュのデザインが変化しない範囲で着色または模様を施したものも含まれる。また、底面は、着色したものも含まれる。
【０００７】
支持板は、コサージュを係止して、透明ケース内に後傾させて配置するもので、矩形状の平板でよいが、例えば、請求項２に記載のように、上方へ行くにつれて漸次幅寸法を小さくしてもよい。なお、この場合、コサージュの重量により撓みが大きくなるので、剛性を上げるため支持板の両側端を後方へ曲げると良い。また、支持板は着色してもよい。
支持板は、透明ケースに固着しない。支持板の上端部と下端部に水平方向の折り目を設けて、折上板と折下板を形成し、折下板は透明ケースの底面に密着し先端は底面の前端に当接させ、折上板は山折りに畳んで透明ケースの後板へ当接させる。
また、支持板は、上端の折上板の中央部に吊金具などに係止するための丸孔を形成するとよい（請求項３）。
【考案の効果】
【０００８】
本考案のコサージュ用ケースは、直方体状の透明ケース内に斜めに設けた支持板にコサージュを係止して収納するようにしたもので、該支持板は、上端部と下端部に水平方向に設けた折り目による折上板と折下板を形成し、該折下板を該透明ケースの底面に密着させて先端を底面の前端に当接させ、該折上板を山折りに畳んで透明ケースの後板へ当接させるようにしたので、コサージュのデザインを正面から見ることができ、上に積み重ねられた状態でも顧客はこれを動かさなくてもデザインを把握することができる。また、支持板は中央部にコサージュを係止するためのスリットと、上端部と下端部に平行な折り目を設けただけの簡素なもので、しかも、透明ケースに接着など固設手段を必要としないので、安価で取り扱いも簡便である。また、コサージュを取り付けた支持板を透明ケースから出して壁に付設した吊金具に係止させる（請求項３）こともできる、など実用上の効果抜群である。
【図面の簡単な説明】
【０００９】
【図１】本考案のコサージュ用ケース１００の実施の形態を示す全体斜視図である。
【図２】同、図１の支持板２０の斜視図である。
【図３】同、透明ケース１０を底面側から見た斜視図である。
【図４】同、透明ケース１０の展開図１０Ａを示す平面図である。
【図５】同、透明ケース１０の底面の組立途中の状態を示す斜視図である。
【図６】同、浴衣用髪飾りのコサージュ用ケース２００の実施の形態を示す斜視図である。
【図７】同、図６の支持板４０の斜視図である。
【考案を実施するための最良の形態】
【００１０】
本考案のコサージュ用ケースの実施の形態を、図１〜図７に基づいて説明する。
図１はコサージュ１を支持板２０に係止して透明ケース１０内に収納したコサージュ用ケース１００の全体斜視図である。図１における透明ケース１０は、手前を前板１２とし支持板２０の後ろが後板１４として説明する。
透明ケース１０は、透明な薄板の合成樹脂からなる一辺が１０ｃｍの立方体で、図４に示す、折り目および切れ目を入れたブランク１０Ａを折り曲げて組み立てられる。
【００１１】
ブランク１０Ａは、縦の折り目ａ、ｂ，ｃ，ｄによって、糊代１７、側板１１，前板１２，側板１３，後板１４に区分され、これと直角方向の折り目ｅ，ｆ，ｇ，ｈと、折り目ｊ、ｋによって、底板１６ａ、１６ｂ，１６ｃ，１６ｄと、蓋板１５、フラップ１５ａ、に区分けされている。なお、底板１６ａ、１６ｂ，１６ｃ，１６ｄは、ここでは、乳白色に印刷されている。
【００１２】
透明ケース１０を組み立てるときは、折り目ａ、ｂ，ｃ，ｄを折り曲げて糊代１７を後板１４の先端縁へ貼着して、立方体状とし、底板１６ａ、１６ｂ，１６ｃ，１６ｄを折り曲げ、組み合わせる。
これは、まず、折り目ｇを折り曲げて底板１６ｂを折りたたみ、折り目ｈ，ｆを折り曲げて底板１６ａ、１６ｃを折りたたみ底板１６ｂの凹部へ差し込む。そして、折り目ｅを折り曲げて底板１６ｄを折りたたみ底板１６ｂの凹部へ差し込む。図５は、底板を折りたたむ前の状態を示し、図３は、折りたたみ後の状態を示している。なお、この底面の組立構造は段ボール箱で一般に用いられているもので、留め金や接着剤を必要としない。
【００１３】
支持板２０は、図２に示すように、透明な長方形のシートで、上端部と下端部に平行な折り目ｍ，ｎが付けられ、折上板２１と折下板２２が形成されている。そして、中央部にクリップの係止用の縦のスリットが２本形成されている。
支持板２０は、ここでは、幅が１０ｃｍであり、折り目ｍから折り目ｎまでの長さは１２ｃｍで、折上板２１の幅は１５ｍｍ、折下板２２の幅は３０ｍｍとしている。
【００１４】
コサージュ１の裏面には、図示してないが、安全ピンとクリップ（ワニ口）が付設されており、このクリップを使用してコサージュ１を支持板２０のスリット２３に係止して取り付ける。そして、透明ケース１０の蓋板１５を上へ開放して、支持板２０の折下板２２の全面が底面に密着し、先端縁２５が透明ケース１０の前板１２の下端に当接するように挿入し、上部の折上板２１を山折りにして後板１４の上端部に当接させる。支持板２０は、コサージュ１の重量によって、若干撓むが、安定した状態となっている。
【００１５】
コサージュ用ケース１００を店頭に展示する場合は、通常一列に並べるが、数が多い場合は、上に積み重ねることになる。コサージュ１が支持板２０に係止されて前板側からよく見えるので、下段に置かれたものも、十分にコサージュのデザインを把握できる。
【００１６】
次に、髪飾り用のコサージュを収納するコサージュ用ケース２００の実施の形態について図６および図７に基づいて説明する。
コサージュ用ケース２００は、上記の実施の形態と同様、コサージュ２を支持板４０に係止して透明ケース３０に収納するものである。上記のコサージュ用ケース１００との相違点は、髪飾り用のコサージュは、花の下方へタレが付設されているので、ケースの高さが高くなることである。
【００１７】
透明ケース３０は、ここでは、１０ｃｍ×１０ｃｍ×１７．５ｃｍ（高さ）の縦長の直方体であり、透明な薄板の合成樹脂で上記の場合と同様に、ブランク（図示してない）を折り曲げて組み立てられる。
支持板４０は、図７に示すように、下のほうが幅広く、上に行くにつれて漸次細くなる板状で、両側端部には折り目ｒが設けられ、下方へ直角に折曲げられた折曲板４４を形成している。そして、上端部と下端部に平行な折り目ｐ、ｑが設けられ、折上板４１と折下板４２が形成されている。また、中央部にはクリップを係止させるための縦のスリット４３が２本形成されている。
【００１８】
支持板４０は、ここでは、下端における幅が１０ｃｍで、上端が１５ｍｍであり、折り目ｐからｑまでの長さは１９．５ｃｍで、折上板４１の折り目ｐから先端までは１５ｍｍ、折下板４２の折り目ｑから先端までは３０ｍｍとしている。なお、支持板４０はここでは、茶色に着色されている。
支持板４０は、コサージュ２を取り付けて上記の場合と同様、透明ケース３０へ収納する。支持板４０は長いが、折曲板４４があるので、撓むことはない。
【００１９】
なお、上記実施の形態では、考案の内容を理解しやすくするため、透明ケースおよび支持板について寸法を表示して説明したが、これに限るものではないことは勿論である。
【符号の説明】
【００２０】
１００  コサージュ用ケース（衣服用）
２００  コサージュ用ケース（髪飾り用）
１  コサージュ（衣服用）
１ａ  クリップ
２  コサージュ（髪飾り用）
２ａ  たれ
１０  透明ケース
１０Ａ  ブランク
１１  側板
１２  前板
１３  側板
１４  後板
１５  蓋板
１５ａ  フラップ
１６ａ、１６ｂ、１６ｃ、１６ｄ  底板
１７  糊代
２０  支持板
２１  折上板
２２  折下板
２３  スリット
２４  吊り孔
２５  先端縁
３０  透明ケース
４０  支持板
４１，４２  折り目
４３  スリット
４４  側折曲げ片
ａ、ｂ、ｃ，ｄ  折り目
ｅ、ｆ，ｇ，ｈ  折り目
ｊ、ｋ，ｍ，ｎ  折り目
【図１】
0003199510.tif 000003
【図２】
0003199510.tif 000004
【図３】
0003199510.tif 000005
【図４】
0003199510.tif 000006
【図５】
0003199510.tif 000007
【図６】
0003199510.tif 000008
【図７】
0003199510.tif 000009